【手続補正書】
【提出日】平成15年8月11日(2003.8.11)
【手続補正１】
【補正対象書類名】明細書
【補正対象項目名】発明の名称
【補正方法】変更
【補正の内容】
【発明の名称】画像処理装置及び該装置における画像処理方法、並びにコンピュータ読み取り可能な記憶媒体


【手続補正２】
【補正対象書類名】明細書
【補正対象項目名】特許請求の範囲
【補正方法】変更
【補正の内容】
【特許請求の範囲】
【請求項１】
文字列を含む画像を入力する入力手段と、
前記入力手段によって入力された前記画像に含まれる前記文字列の言語を指定する指定手段と、
前記画像に含まれる前記文字列について、複数の方向から見た文字認識処理を実行する文字認識手段と、
前記文字認識手段によって実行される前記複数の方向における文字認識結果に従って、前記画像の向きを判別する判別手段と、
前記判別手段の判別結果に従って前記画像を処理する画像処理手段と、を備え、
前記文字認識手段は、第１の言語が指定される場合には４方向から見て前記文字認識処理を実行し、第２の言語が指定される場合には２方向から見て前記文字認識処理を実行することを特徴とする画像処理装置。
【請求項２】
前記第１の言語は日本語であり、前記第２の言語は英語であることを特徴とする請求項１に記載の画像処理装置。
【請求項３】
さらに、前記入力手段から入力された画像中の文字列の向きを検知する検知手段を備え、前記文字認識手段は、前記第２の言語が指定される場合には前記検知手段で検知される前記文字列が横向きになる方向から見て文字認識処理を実行することを特徴とする請求項１に記載の画像処理装置。
【請求項４】
前記検知手段は、横方向及び縦方向に関して前記画像のヒストグラムに基づいて前記文字列の向きを検知することを特徴とする請求項３に記載の画像処理装置。
【請求項５】
前記文字認識手段は、認識された文字とのマッチング度を各方向について出力し、
前記判別手段は、前記文字認識手段から出力されたマッチング度に基づいて前記画像の向きを判別することを特徴とする請求項１に記載の画像処理装置。
【請求項６】
前記画像処理手段は、前記画像を回転させることを特徴とする請求項１に記載の画像処理装置。
【請求項７】
前記画像処理手段は、複数の画像を１つの画像としてレイアウトすることを特徴とする請求項１に記載の画像処理装置。
【請求項８】
文字列を含む画像を入力する入力手段と、
前記画像に含まれる前記文字列の言語を指定する指定手段と、
前記画像に含まれる文字列に基づいて前記画像の向きを判別する判別手段と、
前記判別手段の判別結果に従って前記画像を処理する画像処理手段と、を備え、
前記判別手段は、第１の言語が前記指定手段によって指定される場合には前記画像中の前記文字列が横書き及び縦書きであることを前提として前記画像の向きを判別し、第２の言語が前記指定手段によって指定される場合には前記文字列が横書きであることを前提として前記画像の向きを判別することを特徴とする画像処理装置。
【請求項９】
前記第１の言語は日本語であり、前記第２の言語は英語であることを特徴とする請求項８に記載の画像処理装置。
【請求項１０】
前記画像処理手段は、前記画像を回転させることを特徴とする請求項８に記載の画像処理装置。
【請求項１１】
前記画像処理手段は、複数の画像を１つの画像としてレイアウトすることを特徴とする請求項８に記載の画像処理装置。
【請求項１２】
文字列を含む画像を入力する入力工程と、
前記入力工程で入力された前記画像に含まれる前記文字列の言語を指定する指定工程と、
前記画像に含まれる前記文字列について、複数の方向から見た文字認識処理を実行する文字認識工程と、
前記文字認識工程で実行される前記複数の方向における文字認識結果に従って、前記画像の向きを判別する判別工程と、
前記判別工程の判別結果に従って前記画像を処理する画像処理工程と、を備え、
前記文字認識工程では、第１の言語が指定される場合には４方向から見て前記文字認識処理が実行され、第２の言語が指定される場合には２方向から見て前記文字認識処理が実行されることを特徴とする画像処理方法。
【請求項１３】
前記第１の言語は日本語であり、前記第２の言語は英語であることを特徴とする請求項１２に記載の画像処理方法。
【請求項１４】
さらに、前記入力工程で入力された画像中の文字列の向きを検知する検知工程を備え、
前記文字認識工程では、前記第２の言語が指定される場合には前記検知工程で検知される前記文字列が横向きになる方向から見て文字認識処理が実行されることを特徴とする請求項１２に記載の画像処理方法。
【請求項１５】
前記検知工程では、横方向及び縦方向に関して前記画像のヒストグラムに基づいて前記文字列の向きが検知されることを特徴とする請求項１４に記載の画像処理方法。
【請求項１６】
前記文字認識工程では、認識された文字とのマッチング度が各方向について出力され、
前記判別工程では、前記文字認識工程で出力されたマッチング度に基づいて前記画像の向きが判別されることを特徴とする請求項１２に記載の画像処理方法。
【請求項１７】
前記画像処理工程では、前記画像が回転されることを特徴とする請求項１２に記載の画像処理方法。
【請求項１８】
前記画像処理工程では、複数の画像が１つの画像としてレイアウトされることを特徴とする請求項１２に記載の画像処理方法。
【請求項１９】
文字列を含む画像を入力する入力工程と、
前記画像に含まれる前記文字列の言語を指定する指定工程と、
前記画像に含まれる文字列に基づいて前記画像の向きを判別する判別工程と、
前記判別工程の判別結果に従って、前記画像を処理する画像処理工程と、を備え、
前記判別工程では、第１の言語が前記指定工程で指定される場合には前記画像中の前記文字列が横書き及び縦書きであることを前提として前記画像の向きが判別され、第２の言語が前記指定工程で指定される場合には前記文字列が横書きであることを前提として前記画像の向きが判別されることを特徴とする画像処理方法。
【請求項２０】
前記第１の言語は日本語であり、前記第２の言語は英語であることを特徴とする請求項１９に記載の画像処理方法。
【請求項２１】
前記画像処理工程では、前記画像が回転されることを特徴とする請求項１９に記載の画像処理方法。
【請求項２２】
前記画像処理工程では、複数の画像が１つの画像としてレイアウトされることを特徴とする請求項１９に記載の画像処理方法。
【請求項２３】
画像処理方法のプログラムコードを格納する、コンピュータ読み取り可能な記憶媒体であって、
文字列を含む画像を入力する入力工程のコードと、
前記入力工程で入力された前記画像に含まれる前記文字列の言語を指定する指定工程のコードと、
前記画像に含まれる前記文字列について、複数の方向から見た文字認識処理を実行する文字認識工程のコードと、
前記文字認識工程で実行される前記複数の方向における文字認識結果に従って、前記画像の向きを判別する判別工程のコードと、
前記判別工程の判別結果に従って前記画像を処理する画像処理工程コードと、を備え、
第１の言語が指定される場合には４方向から見て前記文字認識処理が実行され、第２の言語が指定される場合には２方向から見て前記文字認識処理が実行されることを特徴とする記憶媒体。
【請求項２４】
画像処理方法のプログラムコードを格納する、コンピュータ読み取り可能な記憶媒体であって、
文字列を含む画像を入力する入力工程のコードと、
前記画像に含まれる前記文字列の言語を指定する指定工程のコードと、
前記画像に含まれる文字列に基づいて前記画像の向きを判別する判別工程のコードと、
前記判別工程の判別結果に従って、前記画像を処理する画像処理工程のコードと、を備え、
第１の言語が指定される場合には前記画像中の前記文字列が横書き及び縦書きであることを前提として前記画像の向きが判別され、第２の言語が指定される場合には前記文字列が横書きであることを前提として前記画像の向きが判別されることを特徴とする記憶媒体。
【手続補正３】
【補正対象書類名】明細書
【補正対象項目名】０００８
【補正方法】変更
【補正の内容】
【０００８】
【課題を解決するための手段】上記課題に鑑みて、本発明による第１の画像処理装置は、文字列を含む画像を入力する入力手段と、前記入力手段によって入力された前記画像に含まれる前記文字列の言語を指定する指定手段と、前記画像に含まれる前記文字列について複数の方向から見た文字認識処理を実行する文字認識手段と、前記文字認識手段によって実行される前記複数の方向における文字認識結果に従って前記画像の向きを判別する判別手段と、前記判別手段の判別結果に従って前記画像を処理する画像処理手段と、を備え、前記文字認識手段は第１の言語が指定される場合には４方向から見て前記文字認識処理を実行し、第２の言語が指定される場合には２方向から見て前記文字認識処理を実行することを特徴とする。


【手続補正４】
【補正対象書類名】明細書
【補正対象項目名】０００９
【補正方法】変更
【補正の内容】
【０００９】
また、上記課題を解決するために、本発明は、上記第１の画像処理装置に対応した画像処理方法及びその方法のプログラムコードを格納した記憶媒体をも提供するものである。


【手続補正５】
【補正対象書類名】明細書
【補正対象項目名】００１０
【補正方法】変更
【補正の内容】
【００１０】
さらに、他の発明による第２の画像処理装置は、文字列を含む画像を入力する入力手段と、前記画像に含まれる前記文字列の言語を指定する指定手段と、前記画像に含まれる文字列に基づいて前記画像の向きを判別する判別手段と、前記判別手段の判別結果に従って前記画像を処理する画像処理手段と、を備え、前記判別手段は、第１の言語が前記指定手段によって指定される場合には前記画像中の前記文字列が横書き及び縦書きであることを前提として前記画像の向きを判別し、第２の言語が前記指定手段によって指定される場合には前記文字列が横書きであることを前提として前記画像の向きを判別することを特徴とする。


【手続補正６】
【補正対象書類名】明細書
【補正対象項目名】００１１
【補正方法】変更
【補正の内容】
【００１１】
また、上記課題を解決するために、本発明は、上記第２の画像処理装置に対応した画像処理方法及びその方法のプログラムコードを格納した記憶媒体をも提供するものである。


【手続補正７】
【補正対象書類名】明細書
【補正対象項目名】００２８
【補正方法】変更
【補正の内容】
【００２８】
【発明の効果】以上説明したように、本発明によれば、入力画像に含まれる文字列に基づいて入力画像の向きを判別し、その判別結果に従って入力画像の画像処理を行うようにしたので、画面印刷出力時や画像レイアウト出力時に正しい向きの画像が出力できる。